(57)【要約】【課題】機器本体の転倒を防止することが可能な電子機器を提供する。【解決手段】実施形態によれば、電子機器は、底壁１６を有する機器本体１４と、底壁に設けられ、機器本体を載置面Ｂに対してチルト角だけ傾斜させて支持するチルト構造部３２ｂと、機器本体内に収納される収納位置と機器本体の後部から後方に引出され機器本体を支持する引出し位置との間を、載置面Ｂと平行な方向に沿って移動可能に機器本体に支持されたスタンド４０と、を備えている。【選択図】図１０
2015184901.tif 000002
【特許請求の範囲】
【請求項１】
底壁を有する機器本体と、前記底壁に設けられ、前記機器本体を載置面に対してチルト角だけ傾斜させて支持するチルト構造部と、を備えた第１機器と、
ディスプレイを有し、前記第１機器の機器本体の後部に回動可能に支持された第２機器と、
前記機器本体内に収納される収納位置と前記機器本体の後部から後方に引出され前記第１機器を支持する引出し位置との間を、前記載置面と平行な方向に沿って移動可能に前記機器本体に支持されたスタンドと、を備える電子機器。
【請求項２】
前記スタンドは、前記載置面と平行に対向する板状に形成されているとともに、前記収納位置および引出し位置において、前記載置面に当接する支持脚を有している請求項１に記載の電子機器。
【請求項３】
前記機器本体は、前記載置面と平行に対向する支持壁を有し、前記スタンドは、前記支持壁上に摺動自在に支持されている請求項１又は２に記載の電子機器。
【請求項４】
前記第１機器は、前記機器本体に設けられたキーボードを有する請求項１ないし３のいずれか１項に記載の電子機器。
【請求項５】
前記第１機器は、前記機器本体に後部に一対のヒンジにより回動自在に支持されたホルダを有し、前記第２機器は、前記ホルダに脱可能に装着されている請求項１ないし４のいずれか１項に載の電子機器。
【請求項６】
前記第２機器は、表示パネルと、この表示パネルに対向して設けられたタッチセンサあるいはタッチパネルとを有するタブレット型のディスプレイを備えている請求項５に記載の電子機器。
【請求項７】
底壁を有する機器本体と、
前記底壁に設けられ、前記機器本体を載置面に対してチルト角だけ傾斜させて支持するチルト構造部と、
前記機器本体内に収納される収納位置と前記機器本体の後部から後方に引出され前記機器本体を支持する引出し位置との間を、前記載置面と平行な方向に沿って移動可能に前記機器本体に支持されたスタンドと、を備える電子機器。
【請求項８】
前記機器本体に後部にヒンジにより回動自在に支持ているとともに、第２機器を脱可能に装着可能なホルダを備えている請求項７に記載の電子機器。
【請求項９】
前記機器本体に設けられたキーボードを有する請求項７又は８に記載の電子機器。
【発明の詳細な説明】
【技術分野】
【０００１】
この発明の実施形態は、電子機器に関する。
【背景技術】
【０００２】
電子機器として、例えば、ノート型のポータブルコンピュータ（ＰＣ）は、偏平な機器本体と、この機器本体に回動自在に支持されたディスプレイユニットと、を備えている。機器本体の上面にはキーボードが設置されている。また、近年、ディスプレイユニットをタブレット型のＰＣで構成し、機器本体をキーボードドックとして構成し、このキーボードドックにタブレット型ＰＣを接続することで、ノート型のＰＣとして使用するものが提案されている。
【０００３】
このようなＰＣは、機器本体を卓上等に載置し、ディスプレイユニットを起こして使用される。ディスプレイユニットとしてタブレット型ＰＣを用いる場合、このタブレットＰＣは比較的重いため、タブレット型ＰＣを開くと機器本体が持ち上がり転倒しやすくなる。同様に、タブレット型ＰＣを開いた状態で、タブレット型ＰＣの上部にタッチした際、機器本体の前部が持ち上がり転倒し易くなる。また、機器本体の転倒を防止するため、機器本体にチルト機構を設けるＰＣが提案されている。
【先行技術文献】
【特許文献】
【０００４】
【特許文献１】特開２００８−１２４７０８号公報
【発明の概要】
【発明が解決しようとする課題】
【０００５】
この発明は以上の点に鑑みなされたもので、その課題は、機器本体の転倒を防止することが可能な電子機器を提供することにある。
【課題を解決するための手段】
【０００６】
実施形態によれば、電子機器は、底壁を有する機器本体と、前記底壁に設けられ、前記機器本体を載置面に対してチルト角だけ傾斜させて支持するチルト構造部と、前記機器本体内に収納される収納位置と前記機器本体の後部から後方に引出され前記機器本体を支持する引出し位置との間を、前記載置面と平行な方向に沿って移動可能に前記機器本体に支持されたスタンドと、を備えている。
【図面の簡単な説明】
【０００７】
【図１】図１は、実施形態に係る電子機器として、ノート型のポータブルコンピュータを示す斜視図。
【図２】図２は、前記ポータブルコンピュータを背面側から見た斜視図。
【図３】図３は、ディスプレイユニットを取外した状態における前記ポータブルコンピュータの分解斜視図。
【図４】図４は、スタンドを収納した状態における機器本体１４の底面を示す平面図。
【図５】図５は、スタンドを引出した状態における機器本体１４の底面を示す平面図。
【図６】図６は、スタンドを引出した状態におけるポータブルコンピュータの後部を示す斜視図。
【図７】図７は、スタンドを引出した状態におけるポータブルコンピュータの後部底面側を示す斜視図。
【図８】図８は、スタンド部分を分解して示す分解斜視図。
【図９】図９は、スタンドを収納した状態におけるポータブルコンピュータを、スタンド部分を破断して示す側面図。
【図１０】図１０は、スタンドを引出した状態におけるポータブルコンピュータをスタンド部分を破断して示す側面図。
【発明を実施するための形態】
【０００８】
以下図面を参照しながら、実施形態に係る電子機器について詳細に説明する。  
図１は、実施形態に係る電子機器として、ノート型のポータブルコンピュータ１０を示す斜視図、図２は、ポータブルコンピュータを背面側から見た斜視図、図３は、ディスプレイユニットを取外した状態におけるポータブルコンピュータの分解斜視図である。
【０００９】
図１および図２に示すように、ポータブルコンピュータ１０は、第１機器１２と、第１機器に支持された第２機器５０と、を備えている。第１機器１２は、偏平な矩形状の機器本体（筐体）１４を有している。機器本体１４は、矩形状の底壁１６と、この底壁に対向する矩形状の上壁１８と、底壁および上壁の側縁に沿って位置する側壁１９ａ、前壁１９ｂ、後壁１９ｃと、を有している。
【００１０】
上壁１８の中央部および後半部に亘ってほぼ矩形状の開口１９が形成され、この開口内にキーボード２０が露出して設けられている。上壁１８のほぼ前半部分は、パームレスト２２を形成している。パームレスト２２の中央部には、ポインティングデバイスを操作するためのタッチパッド２４およびクリックスイッチ２５が設けられている。また、後壁には、ＵＳＢコネクタ２６、ＨＤＭＩ出力端子２７（登録商標）、ＲＧＢコネクタ２８等の種々のコネクタおよび端子が設けられている。機器本体１４内には、キーボード２０、タッチパッド２４等を制御する図示しない制御回路基板が配置され、この制御回路基板にＵＳＢコネクタ２６、ＨＤＭＩ出力端子２７、ＲＧＢコネクタ２８等が実装されている。
【００１１】
上壁１８の後端側中央部に、第２機器５０を装着可能なホルダ（ドック部）３０が設けられている。ホルダ３０は上壁１８の幅方向に沿って、所定長さ延在している。ホルダ３０は、上壁１８の幅方向に互いに離間して位置する左右一対のヒンジ３１により、上壁の幅方向に延びる軸線の周りで回動自在に、機器本体１４に回動自在に支持されている。ホルダ３０は、断面がＵ字形状に形成され、上方に向かって開口している。また、ホルダ３０内に、図示しないコネクタが設けられ、コネクタは、上述した制御回路基板に接続されている。
【００１２】
このように第１機器１２は、いわゆるキーボードドックとして構成されている。
【００１３】
第２機器５０は、ディスプレイを有するディスプレイユニット５２として構成されている。すなわち、ディスプレイユニット５２は、偏平な矩形状の筐体（機器本体）５４と、筐体５４内に設けられた矩形状の液晶表示パネル（ディスプレイ）５６と、を備えている。液晶表示パネル５６は、筐体５４に形成された表示窓５７に露出した表示面を有している。液晶表示パネル５６は、タッチセンサあるいはタッチパネルを有するいわゆるタブレット型の表示パネルとして構成されている。
【００１４】
本実施形態において、筐体５４内には、図示しない制御回路基板、ＨＤＤ、ＳＳＤ等のストレージデバイス、バッテリ、通信機器等が設けられている。また、筐体５４の側面に、種々のコネクタ、接続端子が設けられている。このように、ディスプレイユニット５２は、タブレット型のポータブルコンピュータとして構成されている。
【００１５】
図１および図２に示すように、ディスプレイユニット５２は、第１機器１２のホルダ３０に脱可能にドッキング（装着）されている。ディスプレイユニット５２は、ホルダ３０および機器本体１４により回動自在に支持され、機器本体１４の上面を覆う閉じ位置と、機器本体１４の上面を開放する開き位置との間を回動可能となっている。また、ディスプレイユニット５２は、ホルダ３０内に設けられたコネクタに接続され、このコネクタを介して第１機器１２と電気的に接続されている。
【００１６】
図３に示すように、ホルダ３０に設けられたリリースレバー２９を操作することにより、ディスプレイユニット５２は、ホルダ３０から取外すことができる。本実施形態において、取外したディスプレイユニット５２は、タブレット型のポータブルコンピュータとして使用することができる。
【００１７】
第１機器１２は、機器本体１４を所定角度チルトさせるためのチルト構造部、および、機器本体１４の転倒を防止するための引出し式のスタンド４０を備えている。  
図４および図５は、機器本体１４の底面を示す平面図、図６は、スタンドを引出した状態におけるコンピュータ１０の後部を示す斜視図、図７は、スタンドを引出した状態におけるコンピュータ１０の後部底面側を示す斜視図、図８は、スタンド部分を分解して示す分解斜視図、図９および図１０は、スタンドを押込んだ状態、およびスタンドを引出した状態をそれぞれ示すスタンド部分の断面図である。
【００１８】
図４ないし図７に示すように、機器本体１４は、チルト構造部として、機器本体１４の底壁１６に設けられた複数の脚を有している。すなわち、機器本体１４は、底壁１６の前端側の両角部に立設された一対の前脚３２ａ、および、底壁１６の後端側の両角部に立設された一対の後脚３２ｂを有している。後脚３２ｂは、前脚３２ａよりも、突出高さが高く形成されている。更に、機器本体１４は、その後部が前部よりもやや厚く形成されている。これにより、図６および図９に示すように、機器本体１４を載置面Ｂ、例えば、机の上面に載置した場合、載置面Ｂに対して、チルト角θ、例えば、２度、だけチルトして（傾斜して）配置される。機器本体１４は、前部分が低く、後部分が高くなるように、傾斜する。
【００１９】
なお、図４および図５に示すように、機器本体１４の底壁１６中央部に補助脚３３が設けられている。この補助脚３３は、通常、載置面Ｂに当接せず、キーボード２０を押して機器本体１４の中央部が載置面側に撓んだ際、載置面Ｂに当接して機器本体１４を支持する。
【００２０】
次に、引出し式のスタンド４０について説明する。図６ないし図１０に示すように、スタンド４０は、矩形板状に形成された本体を有し、この本体は、平坦な矩形状の下面４０ａと、この下面４０ａに対向する平坦な矩形状の上面４０ｂとを有している。上面４０ｂは、下面４０ａに対して傾斜して、例えば、チルト角θだけ傾斜している。これにより、スタンド４０は、その横断面がクサビ状に形成され、スタンド４０の前端側（押込み側）が薄く、後端側（引出し側）が厚く形成されている。また、スタンド４０の長手方向の長さＷ１は、ヒンジ３１間の間隔Ｗ２よりも長く形成され、スタンド４０の幅方向の長さＷ３は、スタンド４０の引出し量に応じて適宜設定する。
【００２１】
スタンド４０には、それぞれ幅方向に延びる複数本、例えば、３本のガイドスリット３６が形成され、更に、スタンド４０の上面４０ｂに複数本、例えば、３本のガイド溝３７が形成されている。ガイドスリット３６は、スタンド４０の長手方向に沿って互いに離間して設けられ、１本のガイドスリット３６は、スタンド４０の長手方向中央部に設けられ、他の２本のガイドスリット３６は、スタンド４０の長手方向両端部に設けられている。各ガイド溝３７は、ガイドスリット３６の幅よりも太い幅を有し、それぞれガイドスリット３６に重ねて形成されている。また、各ガイド溝３７は、スタンド４０の下面４０ａと平行に延びる底面３７ａを有している。これにより、各ガイド溝３７は、スタンド４０の前端側から後端側に向かって徐々に深くなるように形成されている。
【００２２】
スタンド４０は、その一部をＵ字形状に切欠くことにより形成された、２つのロック爪４３を一体に有している。更に、スタンド４０は、本体の下面４０ａの後端側の両角部に突設された、左右一対の支持脚４４を有している。支持脚４４間の間隔は、上述した一対のヒンジ３１間の間隔Ｗ２よりも大きく設定されている。
【００２３】
スタンド４０は、その下面４０ａが載置面Ｂと平行に対向し、また、スタンド４０の長手方向が機器本体１４の幅方向と一致した状態で、機器本体１４の後端側中央部に配置されている。また、スタンド４０は、機器本体１４の支持壁により、載置面Ｂと平行な方向に沿ってスライド自在に支持されている。
【００２４】
本実施形態によれば、機器本体１４は、底壁１６の外面に固定された偏平な矩形状のカバー３４を有し、このカバー３４により上記支持壁を構成している。すなわち、カバー３４は、スタンド４０よりも大きな寸法を有する平坦な矩形状の支持壁３４ａと、支持壁の両側縁および先端縁に沿って立設された一対の側壁３４ｂおよび前壁３４ｃと、を有し、合成樹脂等により一体に形成されている。カバー３４の後端は開口している。一対の側壁３４ｂは、支持壁３４ａに対して、支持壁３４ａの前端側から後端側へ傾斜した上端縁を有している。すなわち、各側壁３４ｂの上端縁は、支持壁３４ａに対して、チルト角θだけ傾斜して延びている。
【００２５】
そして、このカバー３４は、側壁３４ｂの上端縁および前壁３４ｃの上端縁が機器本体１４の底壁１６に当接した状態で、また、カバー３４の長手方向が機器本体１４の幅方向と一致した状態で、底壁１６の後端側中央部に固定されている。これにより、カバー３４の支持壁３４ａは、載置面Ｂと平行に位置し、また、このカバー３４の内面と底壁１６とにより、スタンド４０を収納する収納室４５を規定している。更に、カバー３４の後端開口は、機器本体１４の底壁１６の後端縁とほぼ整列して位置している。この後端開口を通して、スタンド４０をカバー３４の収納室４５に抜き差しすることができる。
【００２６】
図８ないし図１０に示すように、カバー３４の支持壁３４ａの後端縁に、スタンド４０の支持脚４４を収納する一対の切欠き４６が形成されている。支持壁３４ａの内面に、例えば、矩形状の３つのガイドボス（ガイドリブ）が突設されている。３つのガイドボス３５は、スタンド４０の３つのガイドスリット３６に対応して配置され、かつ、各ガイドボス３５は、ガイドスリット３６の幅とほぼ同じ幅に形成されている。また、支持壁３４ａの内面に、２つの係合突起４７が突設されている。
【００２７】
スタンド４０は、３本のガイドスリット３６にガイドボス３５を挿通した状態で、かつ、下面４０ａがカバー３４の支持壁３４ａに対向した状態で、支持壁３４ａ上に載置されている。更に、各ガイドボス３５の突出端に矩形状金属板からなる押え板３８が取り付けられている。押え板３８は、ガイドボス３５よりも大きな面積を有し、スタンド４０のガイド溝３７内に嵌っているとともに、押え板３８の周縁部は、ガイド溝３７の底面３７ａに当接している。
【００２８】
これにより、スタンド４０は、押え板３８によって、その下面４０ａが支持壁３４ａに密着した状態に保持され、更に、ガイドボス３５およびガイドスリット３６により、支持壁３４ａに沿ってスライド自在にガイドされている。スタンド４０は、図２、図４、図９に示すように、機器本体１４内、ここでは、カバー３４の収納室４５内に収納される収納位置と、図５、図７、図１０に示すように、機器本体１４から後方へ所定距離だけ引出された引出し位置と、の間を、支持壁３４ａと平行な方向に沿って、すなわち、載置面Ｂと平行な方向に沿って、スライドされる。
【００２９】
図９に示すように、スタンド４０はクサビ状の断面形状に形成されているため、収納位置において、スタンド４０は、その下面４０ａが支持壁３４ａに当接し、上面４０ｂが底壁１６に当接した状態で、収納室４５内にぴったりと収納される。また、スタンド４０のロック爪４３が支持壁３４ａの係合突起４７に係合し、スタンド４０を収納位置にロックする。収納位置においても、スタンド４０の支持脚４４は、カバー３４の切欠き４６を通して下方に突出し、載置面Ｂに当接することができる。
【００３０】
図１０に示すように、引出し位置において、スタンド４０は、載置面Ｂとほぼ平行に対向し、一対の支持脚４４が載置面Ｂに当接する。これにより、スタンド４０は、機器本体１４の後端側を支持し、機器本体１４の倒れ、前端部の浮上がりを防止する。なお、支持脚４４に作用する荷重は、スタンド４０を介して、押え板３８、機器本体１４の底壁１６、およびカバー３４の支持壁３４ａで支持される。
【００３１】
以上のように構成されたポータブルコンピュータ１０によれば、機器本体１４に引出し可能に設けられたスタンド４０を備えていることから、このスタンド４０により、機器本体１４およびディスプレイユニット５２の転倒を防止することができる。また、スタンド４０を設けることにより、第１機器のチルト角を変更することなく、かつ、第１機器の重量増加を最小限に抑えて携帯性を損なうことなく、ポータブルコンピュータの転倒を防止することが可能となる。
【００３２】
スタンド４０は、載置面と平行な方向にスライドするように支持されているため、スタンドの引出しにより、スタンドが載置面から離れる方向に移動することがなく、スタンドの収納時および引出し時のいずれにおいても、スタンドの支持脚を載置面に当接させることが可能となる。従って、引出し位置に引出されたスタンドにより、ポータブルコンピュータをガタ無く安定して支持し、転倒を防止することができる。  
更に、引出し式のスタンドを機器本体に内蔵することで、第１機器の重量増加を最小限に抑え、同時に、デザイン性および携帯性を損なうことなく、転倒防止を図ることが可能となる。また、スタンドの幅（長さ）および支持脚の間隔を、ディスプレイユニットを回動可能に支持する一対のヒンジ間の間隔よりも大きく（広く）することにより、例えば、ディスプレイユニットの開閉時にヒンジを介して機器本体に力が作用した場合でも、スタンドにより第１機器を確実に支持し、転倒をより確実に防止することが可能となる。  
以上のことから、本実施形態によれば、機器本体の転倒を防止することが可能な電子機器が得られる。
【００３３】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
例えば、上述した実施形態では、機器本体の支持壁をカバーにより構成しているが、これに限らず、機器本体の底壁の一部を載置面と平行となるように傾斜させて支持壁を構成してもよい。また、第２機器は、第１機器に対して脱着可能な機器に限らず、第１機器に固定的に、すなわち、取外し不能に支持された機器であってもよい。電子機器は、上述したポータブルコンピュータに限定されることなく、他の種々の電子機器に適用可能である。
【符号の説明】
【００３４】
１０…ポータブルコンピュータ、１２…第１機器、１４…機器本体、１６…底壁、
２０…キーボード、３０…ホルダ（ドック部）、３１…ヒンジ、３２ａ…前脚、
３２ｂ…後脚、３４…カバー、３４ａ…支持壁、３５…ガイドボス、
３６…ガイドスリット、３７…ガイド溝、３８…押え板、４０…スタンド、
４４…支持脚、５０…第２機器、５２…ディスプレイユニット、５４…筐体
【図１】
2015184901.tif 000003
【図２】
2015184901.tif 000004
【図３】
2015184901.tif 000005
【図４】
2015184901.tif 000006
【図５】
2015184901.tif 000007
【図６】
2015184901.tif 000008
【図７】
2015184901.tif 000009
【図８】
2015184901.tif 000010
【図９】
2015184901.tif 000011
【図１０】
2015184901.tif 000012